(57)【要約】  【課題】本発明は、台紙から切り抜いたデザインの単片を切り抜き紙上で支持し、台紙に表されたデザインを背景にして、デザインの単片が切り抜き紙上に浮かんでいるように見え、さらにゆらゆらと揺動する単片を鑑賞する切り抜き紙を提供することを課題とする。  【解決手段】１枚の台紙を上下に分けた真ん中の折り畳み線で折り畳んで重ね合わせて使用する切り抜き紙であって、重ね合わされた台紙の隙間に、支持部材が封入されており、支持部材の両端部を、台紙から切り抜いた単片と、台紙上とに、それぞれ貼り付けることで、切り抜いた単片が切り抜き紙（台紙）上に支持され、切り抜き紙（台紙）上に浮かんでいるように鑑賞できることを特徴とする切り抜き紙。【選択図】図１
2014174236.tif 000002
【特許請求の範囲】
【請求項１】
１枚の台紙を上下に分けた真ん中の折り畳み線で折り畳んで重ね合わせて使用する切り抜き紙であって、
台紙の表面には、真ん中の折り畳み線から下半分のスペースに、切り抜き用の単片部分と、それ以外の部分（背景部分）とに、種々のデザインが表され、単片部分は、デザインの縁に沿ってミシン目が設けられており、
台紙の背面には、真ん中の折り畳み線から上半分のスペースに、台紙の表面の下半分のスペースに印刷された背景部分のデザインと同一のデザインが表されており、
台紙を真ん中の折り畳み線で折り畳んで重ね合わせたときに、
台紙の単辺部分を切り抜いたあとでも台紙の背面側に表されたデザインが、台紙の表面に表されたデザインと連続した一体のデザインとして鑑賞できる
ことを特徴とする切り抜き紙。
【請求項２】
１枚の台紙を上下に分けた真ん中の折り畳み線で折り畳んで重ね合わせて使用する切り抜き紙であって、
台紙の表面には、真ん中の折り畳み線から下半分のスペースに、切り抜き用の単片部分と、それ以外の部分（背景部分）とに、種々のデザインが表され、単片部分は、デザインの縁に沿ってミシン目が設けられており、
台紙の背面には、真ん中の折り畳み線から上半分のスペースに、台紙の表面の下半分のスペースに印刷された背景部分のデザインと同一のデザインが表されており、
台紙を真ん中の折り畳み線で折り畳んで重ね合わせたときに、
台紙の単辺部分を切り抜いたあとでも台紙の背面側に表されたデザインが、台紙の表面に表されたデザインと連続した一体のデザインとして鑑賞できる切り抜き紙が、
折り畳み線で折り畳まれて重ね合わされた状態の切り抜き紙であって、
重ね合わされた台紙の隙間に、支持部材が封入されており、
支持部材の両端部を、台紙から切り抜いた単片と、台紙上とに、それぞれ貼り付けることで、
切り抜いた単片が切り抜き紙（台紙）上に支持され、切り抜き紙（台紙）上に浮かんでいるように鑑賞できる
ことを特徴とする切り抜き紙。
【請求項３】
前記の支持部材は、
支持部材の長手方向に沿って貫通孔が設けられており、
支持部材が風を受けた際に風の抵抗を受けて、切り抜き紙上に支持された単片がゆらゆらと揺動する
ことを特徴とする請求項２に記載の切り抜き紙。
【請求項４】
前記の支持部材は、
両端の貼り付け部分が屈曲している
ことを特徴とする請求項２または３に記載の切り抜き紙。
【請求項５】
台紙の表面には、
単片を完全に切り抜かず、折り畳み線としての一辺を残して、台紙上で折り畳み線に沿って単片を折るようにして起き上がらせるためのデザインが表されている
ことを特徴とする請求項１から４のいずれかの項に記載の切り抜き紙。
【請求項６】
台紙には、
真ん中の折り畳み線を挟んで上下２箇所（台紙を折り畳んだ際に作られる２箇所の角に相当する箇所）に、
貫通孔が設けられており、
貫通孔に吊り紐を通すことで、切り抜き紙を吊るして鑑賞できる
ことを特徴とする請求項１から５のいずれかの項に記載の切り抜き紙。
【発明の詳細な説明】
【技術分野】
【０００１】
本発明は、台紙に表されたデザインの縁に沿ってデザインの各単片を切り抜いて立体的に組み立てる切り抜き紙に関する。
【背景技術】
【０００２】
従来から、台紙に表されたデザインの縁に沿ってデザインの各単片を切り抜いて立体的に組み立てる切り抜き紙は、多数知られている。
例えば、下記特許文献１には、切抜き紙から単片を切抜き、各単片を糊付けして組み立てる紙ヒコ−キが開示されている。
これによれば、一枚の台紙から立体物を制作することができる。
【先行技術文献】
【特許文献】
【０００３】
【特許文献１】実用新案登録第３１３４５７２号公報
【発明の概要】
【発明が解決しようとする課題】
【０００４】
しかし、台紙から切り抜いたデザインの単片を切り抜き紙上で支持し、台紙に表されたデザインを背景にして、デザインの単片が切り抜き紙上に浮かんでいるように見え、さらにゆらゆらと揺動する単片を鑑賞する切り抜き紙は、知られていない。
【０００５】
そこで、本発明は、上記の課題に鑑みてなされたものであり、台紙から切り抜いたデザインの単片を切り抜き紙上で支持し、台紙に表されたデザインを背景にして、デザインの単片が切り抜き紙上に浮かんでいるように見え、さらにゆらゆらと揺動する単片を鑑賞する切り抜き紙を提供することにある。
【課題を解決するための手段】
【０００６】
上記課題を解決するため、本発明においては、次の技術的手段を講じている。
【０００７】
本発明は、
１枚の台紙を上下に分けた真ん中の折り畳み線で折り畳んで重ね合わせて使用する切り抜き紙であって、
台紙の表面には、真ん中の折り畳み線から下半分のスペースに、切り抜き用の単片部分と、それ以外の部分（背景部分）とに、種々のデザインが表され、単片部分は、デザインの縁に沿ってミシン目が設けられており、
台紙の背面には、真ん中の折り畳み線から上半分のスペースに、台紙の表面の下半分のスペースに印刷された背景部分のデザインと同一のデザインが表されており、
台紙を真ん中の折り畳み線で折り畳んで重ね合わせたときに、
台紙の単辺部分を切り抜いたあとでも台紙の背面側に表されたデザインが、台紙の表面に表されたデザインと連続した一体のデザインとして鑑賞できる
ことを特徴とする切り抜き紙である。
【０００８】
台紙は、上下に分けた真ん中の折り畳み線で折り畳んで使用される。
台紙は、上下に分けた真ん中の折り畳み線で切断され、それぞれが分離したものを重ね合わせて使用することもできる。
最終的に重ねあわされた台紙は、貼り合わされて使用される。
【０００９】
本発明は、
１枚の台紙を上下に分けた真ん中の折り畳み線で折り畳んで重ね合わせて使用する切り抜き紙であって、
台紙の表面には、真ん中の折り畳み線から下半分のスペースに、切り抜き用の単片部分と、それ以外の部分（背景部分）とに、種々のデザインが表され、単片部分は、デザインの縁に沿ってミシン目が設けられており、
台紙の背面には、真ん中の折り畳み線から上半分のスペースに、台紙の表面の下半分のスペースに印刷された背景部分のデザインと同一のデザインが表されており、
台紙を真ん中の折り畳み線で折り畳んで重ね合わせたときに、
台紙の単辺部分を切り抜いたあとでも台紙の背面側に表されたデザインが、台紙の表面に表されたデザインと連続した一体のデザインとして鑑賞できる切り抜き紙が、
折り畳み線で折り畳まれて重ね合わされた状態の切り抜き紙であって、
重ね合わされた台紙の隙間に、支持部材が封入されており、
支持部材の両端部を、台紙から切り抜いた単片と、台紙上とに、それぞれ貼り付けることで、
切り抜いた単片が切り抜き紙（台紙）上に支持され、切り抜き紙（台紙）上に浮かんでいるように鑑賞できる
ことを特徴とする切り抜き紙である。
【００１０】
支持部材は、透明であることが好ましい。
透明であれば、背景のデザインを遮ることがないため、単片が切り抜き紙のデザイン上で浮かんでいるように見える。
支持部材は、弾性力を有する素材であることが好ましい。
弾性力を有する素材とは、例えば、プラスチック素材が挙げられるが、これによれば、単片を切り抜き紙上で支持した際に、単片が切り抜き紙のデザイン上で、ゆらゆらと浮かんでいるように動いて見える。
支持部材の両端部の、単片と、台紙上とに、それぞれ貼り付ける手段は、両面テープなどを使うことができる。
単片の両端部分には、両面テープを貼り付ける場所を明示することもできる。
【００１１】
本発明は、
前記の支持部材は、
支持部材の長手方向に沿って貫通孔が設けられており、
支持部材が風を受けた際に風の抵抗を受けて、切り抜き紙上に支持された単片がゆらゆらと揺動する
ことを特徴とする切り抜き紙である。
【００１２】
本発明は、
前記の支持部材は、
両端の貼り付け部分が屈曲している
ことを特徴とする切り抜き紙である。
【００１３】
両端部（両面テープが付いている箇所）を少し折り曲げておくことで、支持部材が台紙の隙間に封入されている間、支持部材は略一定の場所に留まるため、支持部材を取り出し易い。
【００１４】
本発明は、
台紙の表面には、
単片を完全に切り抜かず、折り畳み線としての一辺を残して、台紙上で折り畳み線に沿って単片を折るようにして起き上がらせるためのデザインが表されている
ことを特徴とする切り抜き紙である。
【００１５】
本発明は、
台紙には、
真ん中の折り畳み線を挟んで上下２箇所（台紙を折り畳んだ際に作られる２箇所の角に相当する箇所）に、
貫通孔が設けられており、
貫通孔に吊り紐を通すことで、切り抜き紙を吊るして鑑賞できる
ことを特徴とする切り抜き紙である。
【発明の効果】
【００１６】
本発明では以下のような効果がある。
【００１７】
１）支持部材によって切り抜いたデザインの単片を支持することで、デザインの単片が切り抜き紙上に浮かんでいるように見える。
【００１８】
２）下面側の台紙の表面に印刷されたデザインが、上面側の台紙の表面に印刷されたデザインと同一であるため、支持部材によって切り抜いたデザインの単片を支持した際に、デザインの単片が切り抜き紙上に浮かんでいるように見える。
【００１９】
３）支持部材の両端部の貼付する部分が屈曲していることで、２枚の台紙の隙間の略一定の位置に収めることができる。
【００２０】
４）吊り紐で切り抜き紙を吊るすことができる。
【図面の簡単な説明】
【００２１】
【図１】一実施例の正面図
【図２】図１の背面図
【図３】図１の右側面図
【図４】図１の左側面図
【図５】図１の平面図
【図６】図１の底面図
【図７】図１の使用状態を示す参考正面図
【図８】図１の使用状態を示す参考背面図
【図９】図１の切り抜いた単片を支持部材によって支持した状態の正面図
【図１０】図９の背面図
【図１１】図９の右側面図
【図１２】図９の左側面図
【図１３】図９の平面図
【図１４】図９の底面図
【図１５】図９の上方斜視図
【図１６】図９の使用状態を示す参考斜視図
【図１７】一実施例の正面図
【図１８】図１７の背面図
【図１９】図１７の右側面図
【図２０】図１７の左側面図
【図２１】図１７の平面図
【図２２】図１７の底面図
【図２３】図１７の切り抜いた単片を支持部材によって支持した状態の正面図
【図２４】図２３の背面図
【図２５】図２３の右側面図
【図２６】図２３の左側面図
【図２７】図２３の平面図
【図２８】図２３の底面図
【図２９】図２３の上方斜視図
【図３０】一実施例の正面図
【図３１】図３０の背面図
【図３２】図３０の右側面図
【図３３】図３０の左側面図
【図３４】図３０の平面図
【図３５】図３０の底面図
【図３６】図３０の使用状態を示す参考正面図
【図３７】図３０の使用状態を示す参考背面図
【図３８】図３０の切り抜いた単片を支持部材によって支持した状態の正面図
【図３９】図３８の背面図
【図４０】図３８の右側面図
【図４１】図３８の左側面図
【図４２】図３８の平面図
【図４３】図３８の底面図
【図４４】図３８の上方斜視図
【図４５】図３８の使用状態を示す参考図
【図４６】一実施例の正面図
【図４７】図４６の背面図
【図４８】図４６の右側面図
【図４９】図４６の左側面図
【図５０】図４６の平面図
【図５１】図４６の底面図
【図５２】図４６の使用状態を示す参考正面図
【図５３】図４６の使用状態を示す参考背面図
【図５４】図４６の切り抜いた単片を支持部材によって支持した状態の正面図
【図５５】図５４の背面図
【図５６】図５４の右側面図
【図５７】図５４の左側面図
【図５８】図５４の平面図
【図５９】図５４の底面図
【図６０】図５４の上方斜視図
【図６１】一実施例の正面図
【図６２】図６１の背面図
【図６３】図６１の右側面図
【図６４】図６１の左側面図
【図６５】図６１の平面図
【図６６】図６１の底面図
【図６７】図６１の切り抜き紙を折り畳んだ状態の上方斜視図
【図６８】図６１のＡ−Ａ線断面図
【図６９】図６１のＢ−Ｂ線断面図
【図７０】図６１の切り抜いた単片を支持部材によって支持した状態の正面図
【図７１】図７０の背面図
【図７２】図７０の右側面図
【図７３】図７０の左側面図
【図７４】図７０の平面図
【図７５】図７０の底面図
【図７６】図７０の正面側からの上方斜視図
【図７７】図７０の背面側からの上方斜視図
【図７８】図６７の円形の切り抜き単片を切り抜いた状態を示す参考図
【図７９】図７４のＣ−Ｃ線断面図
【発明を実施するための最良の形態】
【００２２】
以下、本発明の実施形態について図面を用いて説明する。
【００２３】
図１は、台紙から切り抜くデザインとして、魚をモチーフにしたデザインが描かれた切り抜き紙の正面図である。
破線は、切り取り線を表している（図２以下の全ての図面も同様である。）。
一点鎖線は、折り目を表している（図２以下の全ての図面も同様である。）。
図２は、図１の背面図である。
図３は、図１の右側面図である。
図４は、図１の左側面図である。
図５は、図１の平面図である。
図６は、図１の底面図である。
図７は、図１の使用状態を示す参考図である。
図８は、図２の使用状態を示す参考図である。
図８の上半分側には、図７の下半分側の背景として表されたデザインが上下反転した状態で表されている。
これは、図１６に表されているように、図７の切り抜き紙を折り畳んで、魚のデザイン部分を切り抜いたときに、切り抜いたデザイン部分の真下に、背面側に表されたデザイン部分が、正面側に表されたデザイン部分と全く同じデザインが見えるようにするためである。
このことは、以下の別の実施例においても同様である。
【００２４】
図９は、図１の切り抜き紙を折り畳み、デザイン部分を切り取ったのち、デザイン部分を支持部材によって台紙上に支持した状態の正面図である。
薄墨部分は透明である（図１０以下の全ての図面も同様である。）。
図１０は、図９の背面図である。
図１１は、図９の右側面図である。
図１２は、図９の左側面図である。
図１３は、図９の平面図である。
図１４は、図９の底面図である。
図１５は、図９の上方斜視図である。
図１６は、図９の使用状態を示す参考図である。
【００２５】
図１７は、台紙から切り抜くデザインとして、ハート型のデザインが描かれた切り抜き紙の正面図である。
図１８は、図１７の背面図である。
図１９は、図１７の右側面図である。
図２０は、図１７の左側面図である。
図２１は、図１７の平面図である。
図２２は、図１７の底面図である。
【００２６】
図２３は、図１７の切り抜き紙を折り畳み、デザイン部分を切り取ったのち、デザイン部分を支持部材によって台紙上に支持した状態の正面図である。
図２４は、図２３の背面図である。
図２５は、図２３の右側面図である。
図２６は、図２３の左側面図である。
図２７は、図２３の平面図である。
図２８は、図２３の底面図である。
図２９は、図２３の上方斜視図である。
【００２７】
図３０は、台紙から切り抜くデザインとして、左端に小さいハートが重なったハート型のデザインが描かれた切り抜き紙の正面図である。
図３１は、図３０の背面図である。
図３２は、図３０の右側面図である。
図３３は、図３０の左側面図である。
図３４は、図３０の平面図である。
図３５は、図３０の底面図である。
図３６は、図３０の使用状態を示す参考図である。
図３７は、図３１の使用状態を示す参考図である。
【００２８】
図３８は、図３０の切り抜き紙を折り畳み、デザイン部分を切り取ったのち、デザイン部分を支持部材によって台紙上に支持した状態の正面図である。
図３９は、図３８の背面図である。
図４０は、図３８の右側面図である。
図４１は、図３８の左側面図である。
図４２は、図３８の平面図である。
図４３は、図３８の底面図である。
図４４は、図３８の上方斜視図である。
図４５は、図３８の使用状態を示す参考図である。
【００２９】
図４６は、台紙から切り抜くデザインとして、飛行機のデザインが描かれた切り抜き紙の正面図である。
図４７は、図４６の背面図である。
図４８は、図４６の右側面図である。
図４９は、図４６の左側面図である。
図５０は、図４６の平面図である。
図５１は、図４６の底面図である。
図５２は、図４６の使用状態を示す参考図である。
図５３は、図４７の使用状態を示す参考図である。
【００３０】
図５４は、図４６の切り抜き紙を折り畳み、デザイン部分を切り取ったのち、デザイン部分を支持部材によって台紙上に支持した状態の正面図である。
図５５は、図５４の背面図である。
図５６は、図５４の右側面図である。
図５７は、図５４の左側面図である。
図５８は、図５４の平面図である。
図５９は、図５４の底面図である。
図６０は、図５４の上方斜視図である。
【００３１】
図６１は、台紙から切り抜くデザインとして、円形のデザインと、山型のデザインが描かれた切り抜き紙の正面図である。
図６２は、図６１の背面図である。
図６３は、図６１の右側面図である。
図６４は、図６１の左側面図である。
図６５は、図６１の平面図である。
図６６は、図６１の底面図である。
図６７は、図６１の切り抜き紙を折り畳んだ状態の上方斜視図である。
上方の２つの角付近に表されている小さい円形のデザインは、貫通孔を表している。
この貫通孔に紐を通して、切り抜き紙を吊るして使用することができる。
図６８は、図６１のＡ−Ａ線断面図である。
図６９は、図６１のＢ−Ｂ線断面図である。
【００３２】
図７０は、図６１の切り抜き紙を折り畳み、円形のデザイン部分を切り取り、山型のデザイン部分を起こしたのち、円形のデザイン部分を支持部材によって台紙上に支持した状態の正面図である。
図７１は、図７０の背面図である。
図７２は、図７０の右側面図である。
図７３は、図７０の左側面図である。
図７４は、図７０の平面図である。
図７５は、図７０の底面図である。
図７６は、図７０の正面側からの上方斜視図である。
図７７は、図７０の背面側からの上方斜視図である。
図７８は、図６７の円形の切り抜き単片を切り抜いた状態を示す参考図
図７９は、図７４のＣ−Ｃ線断面図である。
【図１】
2014174236.tif 000003
【図２】
2014174236.tif 000004
【図３】
2014174236.tif 000005
【図４】
2014174236.tif 000006
【図５】
2014174236.tif 000007
【図６】
2014174236.tif 000008
【図７】
2014174236.tif 000009
【図８】
2014174236.tif 000010
【図９】
2014174236.tif 000011
【図１０】
2014174236.tif 000012
【図１１】
2014174236.tif 000013
【図１２】
2014174236.tif 000014
【図１３】
2014174236.tif 000015
【図１４】
2014174236.tif 000016
【図１５】
2014174236.tif 000017
【図１６】
2014174236.tif 000018
【図１７】
2014174236.tif 000019
【図１８】
2014174236.tif 000020
【図１９】
2014174236.tif 000021
【図２０】
2014174236.tif 000022
【図２１】
2014174236.tif 000023
【図２２】
2014174236.tif 000024
【図２３】
2014174236.tif 000025
【図２４】
2014174236.tif 000026
【図２５】
2014174236.tif 000027
【図２６】
2014174236.tif 000028
【図２７】
2014174236.tif 000029
【図２８】
2014174236.tif 000030
【図２９】
2014174236.tif 000031
【図３０】
2014174236.tif 000032
【図３１】
2014174236.tif 000033
【図３２】
2014174236.tif 000034
【図３３】
2014174236.tif 000035
【図３４】
2014174236.tif 000036
【図３５】
2014174236.tif 000037
【図３６】
2014174236.tif 000038
【図３７】
2014174236.tif 000039
【図３８】
2014174236.tif 000040
【図３９】
2014174236.tif 000041
【図４０】
2014174236.tif 000042
【図４１】
2014174236.tif 000043
【図４２】
2014174236.tif 000044
【図４３】
2014174236.tif 000045
【図４４】
2014174236.tif 000046
【図４５】
2014174236.tif 000047
【図４６】
2014174236.tif 000048
【図４７】
2014174236.tif 000049
【図４８】
2014174236.tif 000050
【図４９】
2014174236.tif 000051
【図５０】
2014174236.tif 000052
【図５１】
2014174236.tif 000053
【図５２】
2014174236.tif 000054
【図５３】
2014174236.tif 000055
【図５４】
2014174236.tif 000056
【図５５】
2014174236.tif 000057
【図５６】
2014174236.tif 000058
【図５７】
2014174236.tif 000059
【図５８】
2014174236.tif 000060
【図５９】
2014174236.tif 000061
【図６０】
2014174236.tif 000062
【図６１】
2014174236.tif 000063
【図６２】
2014174236.tif 000064
【図６３】
2014174236.tif 000065
【図６４】
2014174236.tif 000066
【図６５】
2014174236.tif 000067
【図６６】
2014174236.tif 000068
【図６７】
2014174236.tif 000069
【図６８】
2014174236.tif 000070
【図６９】
2014174236.tif 000071
【図７０】
2014174236.tif 000072
【図７１】
2014174236.tif 000073
【図７２】
2014174236.tif 000074
【図７３】
2014174236.tif 000075
【図７４】
2014174236.tif 000076
【図７５】
2014174236.tif 000077
【図７６】
2014174236.tif 000078
【図７７】
2014174236.tif 000079
【図７８】
2014174236.tif 000080
【図７９】
2014174236.tif 000081